(57)【要約】【課題】ローター軸に挿入されるディスクの外周面に設けられたダブテールスロットに沿って嵌め込まれるロッキングスペーサーを提供する。【解決手段】本発明のロッキングスペーサーは、前記ローター軸の軸方向におけるダブテールスロットの両側面に形成されたダブテール面の形状に対応する形状のダブテールジョイントを備え、上面には第１ボルト穴が設けられた段差付き座面を備え、前記ダブテールスロットの内部空間の一部を占有する大きさの一対の第１ブロックと；前記一対の第１ブロックが占有しない前記ダブテールスロットの内部空間に挿入される大きさを有し、前記第１ブロックの座面に対応する高さを有する第２ブロックと；前記第１ブロックの座面及び前記第２ブロックの上面に安着し、前記第１ボルト穴に対応する第２ボルト穴を備える固定プレートと；前記第２ボルト穴を貫通して前記第１ボルト穴に螺合されるボルトと；を含んでなる。【選択図】図５
2018100659.tif 000002
【特許請求の範囲】
【請求項１】
ローター軸に挿入されるディスクの外周面に設けられたダブテールスロットに嵌め込まれるロッキングスペーサーであって、
前記ローター軸の軸方向における前記ダブテールスロットの両側面に形成されたダブテール面の形状に対応する形状のダブテールジョイントを備え、上面には第１ボルト穴が設けられた段差付き座面を備え、前記ダブテールスロットの内部空間の一部を占有する大きさの一対の第１ブロックと、
前記一対の第１ブロックが占有しない前記ダブテールスロットの内部空間に挿入される大きさを有し、前記第１ブロックの座面に対応する高さを有する第２ブロックと、
前記第１ブロックの座面及び前記第２ブロックの上面に安着し、前記第１ボルト穴に対応する第２ボルト穴を備える固定プレートと、
前記第２ボルト穴を貫通して前記第１ボルト穴に螺合されるボルトとを含んでなる、ロッキングスペーサー。
【請求項２】
前記第２ブロックには、前記第１ブロックに備えられたガイド突起に結合するガイドスロットが備えられる、請求項１に記載のロッキングスペーサー。
【請求項３】
前記ガイド突起と前記ガイドスロットは、前記ディスクの半径方向に沿って前記第１ブロックと前記第２ブロックに設けられる、請求項２に記載のロッキングスペーサー。
【請求項４】
前記ガイド突起と前記ガイドスロットは、前記ディスクの円周方向における前記第１ブロックと前記第２ブロックの角部にそれぞれ設けられる、請求項３に記載のロッキングスペーサー。
【請求項５】
前記第２ボルト穴には、前記ボルトの頭部を収容する空間が設けられる、請求項１から４のいずれか一項に記載のロッキングスペーサー。
【請求項６】
前記ボルトは六角穴付きボルトである、請求項５に記載のロッキングスペーサー。
【請求項７】
前記固定プレートの前記軸方向側の少なくとも一つの角部には突起が設けられ、前記一対の第１ブロックの上面には前記突起に対応する溝が設けられる、請求項１から６のいずれか一項に記載のロッキングスペーサー。
【請求項８】
前記第１ブロックの上面と前記固定プレートとの前記軸方向の接触面に沿って溶接部が設けられる、請求項１から７のいずれか一項に記載のロッキングスペーサー。
【請求項９】
少なくとも前記第１ブロックと前記第２ブロックはチタン材質で製造される、請求項１から８のいずれか一項に記載のロッキングスペーサー。
【請求項１０】
前記第１ブロックの上面と前記固定プレートの上面は、連結された一つの面を形成する、請求項１から９のいずれか一項に記載のロッキングスペーサー。
【請求項１１】
ローター軸に挿入されるディスクの外周面に設けられたダブテールスロットにブレードとスペーサーを交互に結合する場合に、前記ブレードと前記スペーサーの各ダブテールジョイントが前記ダブテールスロットの両側面に対して９０°角度をなすようにした状態で前記ダブテールスロット内に挿入し、前記ブレードと前記スペーサーを９０°に回転させて前記ダブテールジョイントをダブテールスロットに嵌め込まれて固定されるようにし、前記ブレードと前記スペーサーを一つずつ交互にダブテールスロットに組み立てた後に、前記ダブテールスロットに残っている空間に請求項１から１０のいずれか一項に記載のロッキングスペーサーを組み立てる方法であって、
前記一対の第１ブロックのダブテールジョイントを前記ダブテールスロットの前記軸方向の両側面に形成されたダブテール面に嵌め込まれるように結合する段階と、
前記一対の第１ブロックが占有しない前記ダブテールスロットの内部空間に前記第２ブロックを挿入する段階と、
前記第１ブロックの座面と前記第２ブロックの上面に前記固定プレートを安着させる段階と、
前記固定プレートに備えられた第２ボルト穴を貫通して、前記一対の第１ブロックに設けられた前記第１ボルト穴にボルトを螺合する段階とを含んでなる、ロッキングスペーサーの組立方法。
【請求項１２】
前記一対の第１ブロックと前記第２ブロックの挿入は回転なしに前記ディスクの半径方向に沿って行われる、請求項１１に記載のロッキングスペーサーの組立方法。
【請求項１３】
前記一対の第１ブロックと前記第２ブロックとの間には、ガイド突起とガイドスロットとのスライド結合が行われる、請求項１１または１２に記載のロッキングスペーサーの組立方法。
【請求項１４】
前記第２ボルト穴内に前記ボルトの頭部が収容される、請求項１１から１３のいずれか一項に記載のロッキングスペーサーの組立方法。
【請求項１５】
前記第１ブロックの上面と前記固定プレートの上面とは、連結された一つの面を形成する、請求項１１から１４のいずれか一項に記載のロッキングスペーサーの組立方法。
【発明の詳細な説明】
【技術分野】
【０００１】
本発明は、ローターブレード用ロッキングスペーサーに係り、さらに詳しくは、ローター軸に挿入されるディスクの外周面に設けられたダブテール（ｄｏｖｅｔａｉｌ）スロットに沿ってブレードとスペーサーを交互に設置する過程で最後に嵌め込まれるロッキングスペーサーに関する。
【背景技術】
【０００２】
タービン機関とは、蒸気、ガスなどの圧縮性流体の流れを利用して衝撃力または反動力によって回転力を得る機械装置であって、蒸気を利用する場合は蒸気タービンと呼び、燃焼ガスを利用する場合はガスタービンと呼ぶ。
【０００３】
ガスタービンの熱サイクルは、ブレイトンサイクル（Ｂｒａｙｔｏｎ  ｃｙｃｌｅ）であり、圧縮機、燃焼器及びタービンから構成される。ガスタービンの作動原理は、まず、大気の空気を吸入して圧縮機で圧縮した後、燃焼器へ送って高温、高圧の燃焼ガスを作ってタービンを動作させ、排気ガスを大気中に放出する。すなわち、圧縮、加熱、膨張、放熱の４過程からなるのである。
ガスタービンの圧縮機は、大気から空気を吸入して燃焼器に燃焼用空気を供給する役割を果たし、断熱圧縮過程を経るので、空気の圧力と空気の温度が上昇する。
【０００４】
燃焼器では、流入した圧縮空気を燃料と混合して等圧燃焼させることで高いエネルギーの燃焼ガスを作り出し、効率を上げるために、燃焼器及びタービン部品が耐えられる耐熱限度まで燃焼ガスの温度を上昇させる。
【０００５】
ガスタービンでは、燃焼器からの高温、高圧の燃焼ガスが膨張しながらタービンの回転羽根に衝突し、反動力を与えて機械的なエネルギーに変換させる。タービンから得た機械的エネルギーの一部は、圧縮機で空気を圧縮するのに必要なエネルギーとして供給され、残りは、発電機を駆動して電力を生産するのに用いられる。
【０００６】
ガスタービンは、主要構成部品に往復運動がないため、ピストン−シリンダーのような相互摩擦部分がないので、潤滑油の消費が極めて少なく、往復運動機械の特徴である振幅が大幅減少し、高速運動が可能であるという利点がある。
【０００７】
蒸気タービンのタービン、ガスタービンのタービン及び圧縮機には、高速で回転するローター軸がベアリングによって支持されており、タービン軸には、中央にホールを有する多数のディスクが挿着されている。各ディスクの外周面に沿っては、回転羽根である複数のブレードが配置される。タービンのブレードは、高温、高圧の蒸気または燃焼ガスのエネルギーを回転運動に変換させる役割を果たし、圧縮機のブレードは、吸入された空気を連続的に加圧する役割を果たす。
【０００８】
図１乃至図４にはディスク１０の外周面に沿ってブレード３０を設置する一つの方式が示されている。図示された方式は、ディスク１０の外周面に沿って設けられたダブテールスロット２０にブレード３０とスペーサー４０を交互に嵌め込んで固定する。ブレード３０のベースの下部とスペーサー４０には、ダブテール面２５の形状に相補する形状のダブテールジョイント５０が設けられている。
【０００９】
図１乃至図４の組立工程を考察すると、ブレード３０やスペーサー４０のダブテールジョイント５０がダブテールスロット２０の円周方向を向くように、すなわち、ダブテールスロット２０の両側面２５に対してダブテールジョイント５０が９０°角度をなすようにした状態でダブテールスロット２０内に挿入し、この状態でブレード３０とスペーサー４０を９０°に回転させてダブテールジョイント５０がダブテールスロット２０に嵌め込まれるようにする方式で組み立てる。
【００１０】
ダブテールスロット２０に対して、ブレード３０とスペーサー４０のダブテールジョイント５０は、半径方向に若干の遊隙及び隙間があるためブレード３０とスペーサー４０をダブテールスロット２０内で９０°に回転させることができ、ダブテールスロット２０の底面に設けられた溝にスプリングプレート（図示せず）を設置してブレード３０とスペーサー４０を半径方向の外側に押し出してダブテールジョイント５０をダブテールスロット２０に密着させる。ローター軸が回転すると、ブレード３０とスペーサー４０に強い遠心力が作用するため、半径方向の遊隙及び隙間はタービン機関の運転影響を及ぼさない。
【００１１】
ブレード３０とスペーサー４０は、一つずつ交互にダブテールスロット２０に組み立てられるが、最後に組み立てられるスペーサー４０は、ダブテールスロット２０に残っている空間が正確にスペーサー４０の分だけであるため、ダブテールスロット２０内で９０°に回転させる方式では締結することができなくなる。よって、最後に組み立てられるスペーサーは、回転することなくダブテールスロット２０にそのまま嵌め込んで組み立てることができる特別な構造を持たなければならず、このような理由で、最後に組み立てられるスペーサーをロッキングスペーサーと呼ぶこともある。
【００１２】
ロッキングスペーサーは、基本的に回転することなくダブテールスロットの両側面にダブテールジョイントが直ちに締結できなければならず、組立構造がシンプルながら堅固でなければならないうえ、今後のメンテナンスのために分解も容易に行うことができなければならない。
【先行技術文献】
【特許文献】
【００１３】
【特許文献１】韓国公開特許第２００７−０００９３９１号（２００７年１月１８日公開）
【特許文献２】韓国公開特許第２０１４−００６８０７７号（２０１４年６月５日公開）
【発明の概要】
【発明が解決しようとする課題】
【００１４】
本発明は、ディスクのダブテールスロットに最後に組み立てられるロッキングスペーサーであって、組立構造がシンプルながら堅固であり、今後のメンテナンスのために容易に分解することができる新しい構造のロッキングスペーサーを提供することを目的とする。
【課題を解決するための手段】
【００１５】
本発明は、ローター軸に挿入されるディスクの外周面に設けられたダブテールスロットに嵌め込まれるロッキングスペーサーに関するものであって、前記ローター軸の軸方向における前記ダブテールスロットの両側面に形成されたダブテール面の形状に対応する形状のダブテールジョイントを備え、上面には第１ボルト穴が設けられた段差付き座面を備え、前記ダブテールスロットの内部空間の一部を占有する大きさの一対の第１ブロックと；前記一対の第１ブロックが占有しない前記ダブテールスロットの内部空間に挿入される大きさを有し、前記第１ブロックの座面に対応する高さを有する第２ブロックと；前記第１ブロックの座面と前記第２ブロックの上面に安着し、前記第１ボルト穴に対応する第２ボルト穴を備える固定プレートと；前記第２ボルト穴を貫通して前記第１ボルト穴に螺合されるボルトと；を含んでなる。
前記第２ブロックには、前記第１ブロックに備えられたガイド突起に結合するガイドスロットが備えられてもよい。
ここで、前記ガイド突起と前記ガイドスロットは、前記ディスクの半径方向に沿って前記第１ブロックと前記第２ブロックに設けられる。
また、前記ガイド突起と前記ガイドスロットは、前記ディスクの円周方向における前記第１ブロックと前記第２ブロックの角部に設けられてもよい。
また、前記第２ボルト穴には、前記ボルトの頭部を収容する空間が設けられ得る。このとき、前記ボルトは六角穴付きボルトであってもよい。
また、前記固定プレートの前記軸方向側の少なくとも一つの角部には突起が設けられ、前記一対の第１ブロックの上面には前記突起に対応する溝が設けられてもよい。
また、前記第１ブロックの上面と前記固定プレートとの前記軸方向の接触面に沿って溶接部が設けられてもよい。
また、少なくとも前記第１ブロックと前記第２ブロックとはチタン材質で製造できる。
また、前記第１ブロックの上面と前記固定プレートの上面とは、連結された一つの面を形成することが好ましい。
【００１６】
一方、本発明に係るロッキングスペーサーを組み立てる方法は、ローター軸に挿入されるディスクの外周面に設けられたダブテールスロットにブレードとスペーサーを交互に結合する場合に、前記ブレードとスペーサーの各ダブテールジョイントが前記ダブテールスロットの両側面に対して９０°角度をなすようにした状態で前記ダブテールスロット内に挿入し、前記ブレードとスペーサーを９０°に回転させて前記ダブテールジョイントがダブテールスロットに嵌め込まれて固定されるようにし、前記ブレードとスペーサーを一つずつ交互にダブテールスロットに組み立てた後に、前記ダブテールスロットに残っている空間に前記ロッキングスペーサーを組み立てる方法において、前記一対の第１ブロックのダブテールジョイントを、前記ダブテールスロットの前記軸方向の両側面に形成されたダブテール面に嵌め込まれるように結合する段階と；前記一対の第１ブロックが占有しない前記ダブテールスロットの内部空間に前記第２ブロックを挿入する段階と；前記第１ブロックの座面と前記第２ブロックの上面に前記固定プレートを安着させる段階と；前記固定プレートに備えられた第２ボルト穴を貫通して前記一対の第１ブロックの前記第１ボルト穴にボルトを螺合する段階と；を含んでなる。
【発明の効果】
【００１７】
前述したような構成を持つ本発明のロッキングスペーサーは、第１ブロックと第２ブロックに分割されたボディを備えており、ダブテールスロットに残っている最後の空間内に直ちに嵌め込んで組み立てることができ、突起とスロットのガイド構造によって嵌合方式で容易に組み立てることが可能である。
また、追ってメンテナンスが必要である場合には、ボルトを解体し、溶接部をグラインディング作業で除去する簡単な作業で容易に交替することができる。
【００１８】
また、第１ブロックと第２ブロックなどを軽量のチタン材質で作って遠心荷重を減らすことにより、ボルトに作用する引張荷重を減らすことができ、これにより、長時間の間、ロッキングスペーサーとしての機能を保障することができる。
【図面の簡単な説明】
【００１９】
【図１】ディスクのダブテールスロットにブレードとスペーサーをそれぞれ交互に装着する一連の過程を示す図である。
【図２】ディスクのダブテールスロットにブレードとスペーサーをそれぞれ交互に装着する一連の過程を示す図である。
【図３】ディスクのダブテールスロットにブレードとスペーサーをそれぞれ交互に装着する一連の過程を示す図である。
【図４】ディスクのダブテールスロットにブレードとスペーサーをそれぞれ交互に装着する一連の過程を示す図である。
【図５】本発明に係るロッキングスペーサーの構造を詳細に示す斜視図である。
【図６】図５のロッキングスペーサーをディスクのダブテールスロット内に設置する一連の過程を示す図である。
【図７】図５のロッキングスペーサーをディスクのダブテールスロット内に設置する一連の過程を示す図である。
【図８】図５のロッキングスペーサーをディスクのダブテールスロット内に設置する一連の過程を示す図である。
【図９】図５のロッキングスペーサーをディスクのダブテールスロット内に設置する一連の過程を示す図である。
【図１０】図５のロッキングスペーサーをディスクのダブテールスロット内に設置する一連の過程を示す図である。
【発明を実施するための形態】
【００２０】
以下、本発明の幾つかの実施形態を例示的な図面に基づいて詳細に説明する。各図面の構成要素に参照符号を付するにあたり、同じ構成要素に対してはたとえ他の図面上に表示されても、出来る限り同じ符号を持つようにしていることに留意すべきである。また、本発明の実施形態を説明するにあたり、関連した公知の構成または機能についての具体的な説明が本発明の実施形態に対する理解を妨害すると判断される場合には、その詳細な説明は省略する。
【００２１】
また、本発明の実施形態の構成要素を説明するにあたり、第１、第２、Ａ、Ｂ、（ａ）、（ｂ）などの用語を使用することができる。これらの用語は、その構成要素を他の構成要素と区別するためのものに過ぎず、該当構成要素の本質や順序などを限定するものではない。ある構成要素が他の構成要素に「連結」、「結合」または「接続」されると記載された場合、その構成要素は他の構成要素に直接連結または接続されてもよく、各構成要素同士の間に別の構成要素が介在されて間接的に「連結」、「結合」または「接続」されてもよいと理解されるべきである。
【００２２】
図５は本発明に係るロッキングスペーサー１００の構造を詳細に示す斜視図であって、これを参照して詳細に説明する。ここで、本発明を説明するにあたり、ロッキングスペーサー１００がダブテールスロット２０に組み立てられる方向は、一つに定められるという点を考慮して、ディスク１０の外周面に沿って設けられたダブテールスロット２０にロッキングスペーサー１００が装着される方向を基準にして、軸方向、円周方向及び半径方向にＸ／Ｙ／Ｚ軸の方向を指し示すこととする。
【００２３】
本発明のロッキングスペーサー１００は、幾つかの分割された部品から構成されており、これらの部品は、図１乃至図４に示されている過程を経てすべてのブレード３０とスペーサー４０がダブテールスロット２０に組み立てられた後、残った最後の空間内に直ちに嵌め込んで組み立てることにより、一つのロッキングスペーサー１００に完成できるように構成されている。
【００２４】
図５に示されているように、本発明のロッキングスペーサー１００は、一対の第１ブロック１１０、一つの第２ブロック１２０、固定プレート１３０及びボルト１４０を含んで構成される。
【００２５】
第１ブロック１１０は、ディスク１０の外周面に沿って環状に設けられたダブテールスロット２０の軸方向Ｘの両側面に形成されたダブテール面２５の形状に対応する形状のダブテールジョイント１１１を備える一対の対称形状をなすブロックである。第１ブロック１１０は、ダブテールジョイント１１１を備えており、組み立てられたロッキングスペーサー１００をダブテールスロット２０に対して結束させる役割を果たすブロックである。
【００２６】
第１ブロック１１０は、ダブテールスロット２０の内部空間の一部を占有する大きさを有するが、これは、第２ブロック１２０が挿入される空間が必要だからである。すなわち、一対の第１ブロック１１０をそれぞれダブテールスロット２０の両側面のダブテール面２５に密着させたとき、ダブテールスロット２０の中央部分が空いており、この中央の空間に第２ブロック１２０が嵌め込まれる。
【００２７】
また、第１ブロック１１０の上面には、第１ボルト穴１１４を有する段差付き座面１１２が備えられる。第１ボルト穴１１４及び段差付き座面１１２は、後述する固定プレート１３０を結合させるための構成である。
【００２８】
第２ブロック１２０は、前述したように、一対の第１ブロック１１０が占有しないダブテールスロット２０の内部空間に挿入される大きさを有する。そして、第２ブロック１２０が第１ブロック１１０同士の間に挟まれたときに第２ブロック１２０の上面の周囲が平坦であるように、第２ブロック１２０は第１ブロック１１０の座面１１２に対応する高さを有する。すなわち、両側の第１ブロック１１０の座面１１２と第２ブロック１２０の上面とは平坦な面を成し、この平坦な面上に固定プレート１３０が安着する。
【００２９】
固定プレート１３０は、一対の第１ブロック１１０及びそれらの間に配置される第２ブロック１２０を堅固に結合させるための部品である。固定プレート１３０は、第１ブロック１１０の座面１１２及び第２ブロック１２０の上面に安着し、第１ブロック１１０の座面１１２に設けられている第１ボルト穴１１４に対応する第２ボルト穴１３２を有する。第１及び第２ボルト穴１１４、１３２の数は、結合強度を考慮して適切に選択できる。図示された実施形態において、第１及び第２ボルト穴１１４、１３２はそれぞれ４個ずつ設けられる。
ボルト１４０は、固定プレート１３０の第２ボルト穴１３２を貫通して第１ブロック１１０の第１ボルト穴１１４に螺合される。
【００３０】
一方、第１ブロック１１０にはガイド突起１１６が備えられ、第２ブロック１２０には、第１ブロック１１０のガイド突起１１６に結合するガイドスロット１２２が備えられ得る。ガイド突起１１６とこれに対応するガイドスロット１２２は、第１ブロック１１０と第２ブロック１２０が正確な位置に嵌め込まれるように誘導するための構成である。
【００３１】
ここで、ガイド突起１１６とガイドスロット１２２は、それぞれ第１ブロック１１０と第２ブロック１２０の半径方向Ｚに沿って設けられるが、これは、一対の第１ブロック１１０をダブテールスロット２０のダブテール面２５に合わせて内部に嵌め込み、第２ブロック１２０を直ちにそれらの間に押し込むことができるようにするためのものである。
【００３２】
図示された実施形態において、ガイド突起１１６とガイドスロット１２２は、第１ブロック１１０と第２ブロック１２０の円周方向Ｙの角部に設けられている。これは、最も外側からガイド突起１１６とガイドスロット１２２とが互いに嵌合されるときに最も強い締結力が作用するという点で有利だからである。
【００３３】
また、第２ボルト穴１３２には、ボルト１４０の頭部１４２を収容する空間が作られるように段差が形成されてもよい。これは、ボルト頭部１４２が突出していれば、ブレード３０に作用する流体の正常的な流れに撹乱を与えるおそれがあるためである。このとき、第２ボルト穴１３２内にボルト頭部１４２が埋め込まれるボルト１４０としては、大きさに比べて強度に優れた六角穴付きボルトを使用することが適切である。
【００３４】
また、ボルト頭部１４２を埋め込むのと同様の理由で、第１ブロック１１０の上面と固定プレート１３０の上面とが、スムーズに連結された一つの面を形成するようにすることが好ましい。
【００３５】
また、実施形態によっては、ボルト１４０で固定する前に、固定プレート１３０の装着位置を予め正確に取ることができるように、固定プレート１３０の軸方向Ｘ側の少なくとも一つの角部には突起１３４を設け、これに対応して、一対の第１ブロック１１０の上面には、突起１３４が嵌め込まれる溝１１８を設けてもよい。
【００３６】
実施形態によって固定プレート１３０の装着方向がいずれか一つの方向に特定されなければならない場合であれば、固定プレート１３０の突起１３４を用いて装着方向をいずれか一つの方向に制限することもできる。例えば、固定プレート１３０の一側にのみ突起１３４を設けるか、或いは突起１３４の位置を非対称にすることにより、一方向にのみ組み立てがなされるようにすることができる。
図６乃至図１０は本発明のロッキングスペーサー１００をディスク１０のダブテールスロット２０に最後に組み立てる一連の過程を示す図である。
【００３７】
まず、２つの第１ブロック１１０をダブテールスロット２０に合わせて嵌め込む（図６）。第１ブロック１１０をダブテールスロット２０の両側面に嵌め込むと、それらの間に空間が作られるが、第１ブロック１１０のガイド突起１１６に第２ブロック１２０のガイドスロット１２２を合わせて半径方向Ｚに直接押し込む（図７）。
【００３８】
上述の過程により第１ブロック１１０と第２ブロック１２０が設置されると、固定プレート１３０の突起１３４を第１ブロック１１０の溝１１８に合わせて安着させ（図８）、次いでボルト１４０を固定プレート１３０の第２ボルト穴１３２を貫通させて第１ブロック１１０の第１ボルト穴１１４に螺合する（図９）。
【００３９】
このとき、第２ボルト穴１３２に、ボルト頭部１４２を収容する空間を設けておくと、図１０に示されているように、ボルト頭部１４２は、固定プレート１３０内に埋め込まれて滑らかな面を形成する。必要に応じては、六角穴付きボルト１４０の六角穴内に適切な耐熱性充填材を充填してブレード３０周辺の空気流動への影響をさらに減らすことができる。
上述したような過程によって、本発明のロッキングスペーサー１００は、ディスク１０のダブテールスロット２０内に簡単に組み立てられ得る。
【００４０】
ここで、ロッキングスペーサー１００の組立状態をさらに堅固にするために、第１ブロック１１０の上面と固定プレート１３０との軸方向Ｘの接触面に沿って溶接を行って溶接部を形成することができる。追ってメンテナンスが必要である場合には、ボルト１４０を解体し、溶接部をグラインディング作業で除去する簡単な作業によって容易に交替することができるので、溶接を行うことは大きく問題にならない。
【００４１】
そして、少なくとも第１ブロック１１０と第２ブロック１２０（相対的に大きさの大きい部品）を含む各部品は、チタン材質で製造できる。チタン材質の金属（チタン合金を含む）は、かなり軽量であるため、ローターが高速で回転するときに作用する遠心荷重を減らすことができ、これにより、ボルト１４０に作用する引張荷重を軽減することにより、長時間の間、安定的にロッキングスペーサー１００の機能を維持することができる。
【００４２】
以上、本発明の実施形態を構成するすべての構成要素が一つに結合するか、結合して動作すると説明されたとして、本発明が必ずしもこれらの実施形態に限定されるものではない。すなわち、本発明の目的範囲内であれば、そのすべての構成要素が一つ以上選択的に結合して動作することもできる。また、以上で記載した「含む」、「構成する」または「有する」などの用語は、特に反対される記載がない限り、該当構成要素が内在することができることを意味するもので、他の構成要素を除外するのではなく、他の構成要素をさらに含むことができるものと解釈されるべきである。技術的または科学的な用語をすべて含む用語は、別に定義されない限り、本発明の属する技術分野における通常の知識を有する者によって一般的に理解されるのと同じ意味がある。辞典に定義された用語のように一般的に使用される用語は、関連技術の文脈上の意味と一致するものと解釈されるべきであり、本発明で明白に定義しない限り、理想的または過度に形式的な意味で解釈されない。
【符号の説明】
【００４３】
１０    ディスク
２０    ダブテールスロット
２５    ダブテール面
３０    ブレード
４０    スペーサー
５０    ダブテールジョイント
１００    ロッキングスペーサー
１１０    第１ブロック
１１１    ダブテールジョイント
１１２    座面
１１４    第１ボルト穴
１１６    ガイド突起
１１８    溝
１２０    第２ブロック
１２２    ガイドスロット
１３０    固定プレート
１３２    第２ボルト穴
１３４    突起
１４０    ボルト
１４２    ボルト頭部
Ｘ    軸方向
Ｙ    円周方向
Ｚ    半径方向
【図１】
2018100659.tif 000003
【図２】
2018100659.tif 000004
【図３】
2018100659.tif 000005
【図４】
2018100659.tif 000006
【図５】
2018100659.tif 000007
【図６】
2018100659.tif 000008
【図７】
2018100659.tif 000009
【図８】
2018100659.tif 000010
【図９】
2018100659.tif 000011
【図１０】
2018100659.tif 000012